(57)【要約】    【課題】  簡単に取り出すことができるとともに簡単に片付けることができ、移動も難なく行うことが可能となるポータブル楽器用スタンドを提供する。    【解決手段】  操作者が、支持板３３ａによる台座部２の支持を解除すると、台座部２の自重により、台座部２は、矢印Ａの方向に回転を始め、フレーム３２の曲折部３２ｂに当接して停止する。次に、操作者は、フレーム３１を矢印Ｂの方向に押すと、フレーム３１がフレーム３２に近づいて行き、これに応じて、フレーム３２もフレーム３３に近づいて行き、各フレーム間が所定の間隔まで縮まる。このようにして縮まった、ポータブル鍵盤楽器１００の取り付けられたポータブル楽器用スタンドを移動させたい場合には、操作者は、ポータブル楽器用スタンドの重量をフレーム３１および３２のキャスタにかけて、フレーム３３のゴム製脚を地面から浮かせた状態で、移動させる。【選択図】    図４
2006267489.tif 000002
【特許請求の範囲】
【請求項１】
横長形状のポータブル楽器を、当該楽器の長手方向の、少なくとも２点でそれぞれ支持する、少なくとも２脚を備えた脚部と、
前記楽器の長手方向の略中央位置に回転軸を置き、該回転軸を中心にして当該楽器を回転可能な回転機構と、
該回転機構による当該楽器の回転に連動して、または、該回転機構によって当該楽器が回転された後に、前記各脚間の間隔を狭めることが可能な狭め機構と
を有することを特徴とするポータブル楽器用スタンド。
【請求項２】
前記脚部は、前記２脚に加えて、当該楽器の略中央位置で当該楽器を支持する脚をさらに備え、
前記回転軸は、前記略中央位置の脚に設置される
ことを特徴とする請求項１に記載のポータブル楽器用スタンド。
【請求項３】
前記楽器を当該楽器の長手方向にスライド可能なスライド機構をさらに有し、
前記楽器は、前記スライド機構によって所定位置にスライドされた後、前記回転機構によって略垂直方向まで回転されながら、当該スタンドの中央部に引き込まれ、これと連動して、前記狭め機構により、前記各脚間の間隔が狭められる
ことを特徴とする請求項１に記載のポータブル楽器用スタンド。
【発明の詳細な説明】
【技術分野】
【０００１】
本発明は、ポータブル楽器用スタンドに関する。
【背景技術】
【０００２】
ポータブル楽器用スタンドとして、幅が異なる楽器に対して、スタンドの高さを変えることなく、スタンドの幅を合わせるようにしたものがある（たとえば、特許文献１参照）。
【特許文献１】特開平１１−２０２８５８号公報
【発明の開示】
【発明が解決しようとする課題】
【０００３】
ところで、昨今、空間的な余裕の少ない家が増えてきている。このような家では、ポータブル楽器は、それを使用するときだけにスタンドを設置し、そのスタンドに載せて使うようにしているが、楽器をスタンドに載せるために持ち上げるのは一苦労であって、その作業の際に体を痛めたり、楽器を落としたりぶつけたりしてしまったりすることがあった。また、これらのことを懸念して、楽器の使用頻度が減ることはもちろんのこと、購入すること自体を控えてしまうこともあった。
【０００４】
さらに、片付けるときには、楽器とスタンドは別物として別々に保管するので、その管理が面倒であった。また、他の場所に楽器を移動させる場合には、楽器とスタンドとを別々に動かすため、元の場所と移動後の場所とを２度往復する必要があった。このとき、楽器もスタンドも持ち上げて運ばなくてはならず、大変であった。
【０００５】
本発明は、この点に着目してなされたものであり、簡単に取り出すことができるとともに簡単に片付けることができ、移動も難なく行うことが可能となるポータブル楽器用スタンドを提供することを目的とする。
【課題を解決するための手段】
【０００６】
上記目的を達成するため、請求項１に記載のポータブル楽器用スタンドは、横長形状のポータブル楽器を、当該楽器の長手方向の、少なくとも２点でそれぞれ支持する、少なくとも２脚を備えた脚部と、前記楽器の長手方向の略中央位置に回転軸を置き、該回転軸を中心にして当該楽器を回転可能な回転機構と、該回転機構による当該楽器の回転に連動して、または、該回転機構によって当該楽器が回転された後に、前記各脚間の間隔を狭めることが可能な狭め機構とを有することを特徴とする。
【０００７】
好ましくは、前記脚部は、前記２脚に加えて、当該楽器の略中央位置で当該楽器を支持する脚をさらに備え、前記回転軸は、前記略中央位置の脚に設置されることを特徴とする。
【０００８】
また、好ましくは、前記楽器を当該楽器の長手方向にスライド可能なスライド機構をさらに有し、前記楽器は、前記スライド機構によって所定位置にスライドされた後、前記回転機構によって略垂直方向まで回転されながら、当該スタンドの中央部に引き込まれ、これと連動して、前記狭め機構により、前記各脚間の間隔が狭められることを特徴とする。
【発明の効果】
【０００９】
請求項１に記載の発明によれば、その長手方向の、少なくとも２点でそれぞれ支持する、少なくとも２脚で支持されたポータブル楽器が、前記長手方向の略中央位置に置かれた回転軸を中心にして回転され、その回転に連動して、またはその回転後に、前記各脚間の間隔が狭められて、直ちに片付け可能な状態になるので、簡単に片付けることができる。また、このポータブル楽器を取り出すときも、上記操作と逆の操作を行うことで、直ちに演奏可能状態になるので、簡単に取り出すことができる。そして、ポータブル楽器を回転させる労力が、このポータブル楽器用スタンドを取り扱う際に最も大きなものであるが、従来のポータブル楽器用スタンドにポータブル楽器を載せる労力に比較すれば、回転させる労力の方が少ないので、力の弱い人でも、ポータブル楽器を難なく取り扱うことができる。
【発明を実施するための最良の形態】
【００１０】
以下、本発明の実施の形態を図面に基づいて詳細に説明する。
【００１１】
図１は、本発明の第１の実施の形態に係るポータブル楽器用スタンド１と、該スタンド１上に取り付けられたポータブル鍵盤楽器１００の正面図である。
【００１２】
図２および図３は、スタンド１の分解斜視図であり、図２は、ポータブル鍵盤楽器１００を取り付ける台座部２の斜視図を示し、図３は、台座部２を支持する脚部３の斜視図を示している。
【００１３】
図２に示すように、台座部２の一端には、図４を用いて後述するように、ポータブル鍵盤楽器１００を回転させた場合に、ポータブル鍵盤楽器１００が台座部２から滑り落ちないようにするための切り起こし部２ａが形成されている。
【００１４】
また、台座部２には、ポータブル鍵盤楽器１００を台座部２に固定させるためのネジ４（図１参照）が挿通する孔２ｂが２つ設けられている。ポータブル鍵盤楽器１００の台座部２に接する面には、各孔２ｂにそれぞれ対応する位置にネジ孔（図示せず）が形成され、このネジ孔に台座部２の孔２ｂを介してネジ４を螺合することで、ポータブル鍵盤楽器１００は台座部２に固定される。このように、ネジ４により、ポータブル鍵盤楽器１００は台座部２に固定されるので、台座部２を回転させたとしても、実際には、ポータブル鍵盤楽器１００は台座部２から滑り落ちないが、ポータブル鍵盤楽器１００の重量により、ネジ４が過負荷状態になって曲がってしまうのを防止するために、前記切り起こし部２ａを設けるようにしている。
【００１５】
さらに、台座部２には、ポータブル鍵盤楽器１００を回転させるための、略円筒状の回転軸２ｃが固着されている。
【００１６】
図３に示すように、脚部３は、主として、３本のフレーム３１〜３３と、該フレーム３１〜３３のうち、隣接する２本のフレームをＸ字状に連結する連結部材３４〜３７とによって構成されている。
【００１７】
フレーム３１の上端には、前記台座部２を支持する支持板３１ａが固着され、フレーム３１の下端に近い曲折部３１ｂは、フレーム３１の下端からその中心方向に所定長だけ曲折されて形成されている。そして、曲折部３１ｂには、キャスタ３１ｃが２つ取り付けられている。
【００１８】
フレーム３２は、コの字状に形成され、その上端に近い曲折部３２ａは、前記台座部２に固着された回転軸２ｃ内に挿入されて、その回転中心となる。フレーム３２の下端に近い曲折部３２ｂには、前記曲折部３１ｂと同様に、キャスタ３２ｃが２つ取り付けられている。
【００１９】
フレーム３３の上端には、前記フレーム３１と同様に、台座部２を支持する支持板３３ａが固着され、フレーム３３の下端に近い曲折部３３ｂは、フレーム３３の下端からその中心方向に所定長だけ曲折されて形成されている。ただし、フレーム３１と異なり、支持板３３ａは、操作者の操作に従って、その大半が垂直方向に折り曲がり、台座部２に対する支持が解除されるように構成され、さらに、曲折部３３ｂには、キャスタではなく、円柱状のゴム製脚３３ｃが２つ取り付けられている。このように、フレーム３１〜３３のうち、一方の端のフレームにのみ、ゴム製脚３３ｃを取り付けたのは、後述するように、ポータブル鍵盤楽器１００を片付けるときに各フレームの間隔を狭めるのであるが、そのときに、ゴム製脚３３ｃを取り付けたフレームだけ動かないようにして、他のフレームの間隔を狭め易くするためである。したがって、ストッパ付きのキャスタを採用すれば、あえてゴム製脚３３ｃを採用する必要はない。
【００２０】
フレーム３１とフレーム３２とは、連結部材３４および３５によって連結され、フレーム３２とフレーム３３とは、連結部材３６および３７によって連結されている。
【００２１】
連結部材３４の一端は、ネジ４０を介してフレーム３１と回動自在に連結され、連結部材３４の他端は、連結部材３４の回動に連動してフレーム３２上を上下動する連動部材３２ｄを介して、フレーム３２に連結されている。連結部材３５の一端は、ネジ４１を介してフレーム３２と回動自在に連結され、連結部材３５の他端は、連結部材３５の回動に連動してフレーム３１上を上下動する連動部材３１ｄを介して、フレーム３１に連結されている。
【００２２】
また、連結部材３６の一端は、上記ネジ４１を介してフレーム３２と回動自在に連結され、連結部材３６の他端は、連結部材３６の回動に連動してフレーム３３上を上下動する連動部材３３ｄを介して、フレーム３３に連結されている。連結部材３７の一端は、ネジ４２を介してフレーム３３と回動自在に連結され、連結部材３７の他端は、上記連動部材３２ｄを介して、フレーム３２に連結されている。なお、連動部材３２ｄは、前述のように、連結部材３７の回動に連動してフレーム３２上を上下動する。
【００２３】
脚部３を折りたたむ際には、フレーム３４は、ネジ４０を軸として、フレーム３５および３６は、ネジ４１を軸として、フレーム３７は、ネジ４２を軸として、回動し、連結部材３１ｄ〜３３ｄは、それぞれフレーム３１〜３３上を下方向にスライドする。
【００２４】
以上のように構成されたポータブル楽器用スタンド１に取り付けられたポータブル鍵盤楽器１００を片付けるときの片付け方法、および片付けられたポータブル鍵盤楽器１００を設置するときの設置方法について、図１、図４および図５を参照して説明する。
【００２５】
図１の状態で、操作者が、支持板３３ａによる台座部２の支持を解除すると、図４に示すように、台座部２の自重により、台座部２は、矢印Ａの方向に回転を始め、前記フレーム３２の曲折部３２ｂに当接して停止する。次に、操作者は、フレーム３１を矢印Ｂの方向に押すと、フレーム３１がフレーム３２に近づいて行き、これに応じて、フレーム３２もフレーム３３に近づいて行き、図５に示すように、各フレーム間が所定の間隔（たとえば、前記切り起こし部２ａの高さ）まで縮まる。このようにして縮まった、ポータブル鍵盤楽器１００の取り付けられたポータブル楽器用スタンド１を移動させたい場合には、操作者は、ポータブル楽器用スタンド１の重量をフレーム３１および３２のキャスタ３１ｃおよび３２ｃにかけて、フレーム３３のゴム製脚３３ｃを地面から浮かせた状態で、移動させる。
【００２６】
これとは逆に、ポータブル鍵盤楽器１００を、それが片付けられた場所から演奏場所に持ってきて、設置する場合には、ポータブル楽器用スタンド１の重量をキャスタ３１ｃおよび３２ｃにかけて、フレーム３３のゴム製脚３３ｃを地面から浮かせた状態で、演奏場所に移動させる。次に、図５の状態から、操作者が、フレーム３１を矢印Ｂ′の方向に押すと、図４に示すように、各フレーム間が所定の間隔まで広がる。その後、操作者が、台座部２を矢印Ａ′の方向に回転させ、台座部２が支持板３１ａに当接すると、操作者は、支持板３３ａの支持を有効にする。これにより、ポータブル鍵盤楽器１００は、図１に示す状態、すなわち演奏可能状態となる。
【００２７】
このように、本実施の形態のポータブル楽器用スタンドでは、ポータブル鍵盤楽器１００を片付けるときには、ポータブル鍵盤楽器１００を回転させた後、フレーム間の間隔を狭めるだけで、直ちに片付け可能な状態になるので、簡単に片付けることができる。一方、ポータブル鍵盤楽器１００を取り出すときも、フレーム間の間隔を拡げた後、ポータブル鍵盤楽器１００を回転させるだけで、直ちに演奏可能状態になるので、簡単に取り出すことができる。また、ポータブル鍵盤楽器１００とポータブル楽器用スタンド１とは、通常一体になっているので、片付けるときも、取り出すときも、演奏場所と片付け場所とを２度往復しなくてもよい。さらに、ポータブル鍵盤楽器１００を取り出すときに、ポータブル鍵盤楽器１００を回転させる労力が、このポータブル楽器用スタンド１を取り扱う際に最も大きなものであるが、従来のポータブル楽器用スタンドにポータブル鍵盤楽器を載せる労力に比較すれば、回転させる労力の方が少ないので、力の弱い人でも、ポータブル鍵盤楽器１００を難なく取り扱うことができる。また、ポータブル楽器用スタンド１には、キャスタが取り付けられているので、その移動も簡単に行うことができる。
【００２８】
図６は、本発明の第２の実施の形態に係るポータブル楽器用スタンド１′と、該スタンド５上に取り付けられたポータブル鍵盤楽器１００の正面図であり、図７は、台座部２′を支持する脚部５の斜視図である。なお、台座部２′は、後述するように、台座部２′の裏面に突部が形成されていること以外は、図２の台座部２と変わらないので、その詳細な構成の説明は省略する。
【００２９】
図７に示すように、脚部５は、主として、４本のＥ字状のフレーム５１〜５４と、該フレーム５１〜５４のうち、隣接する２本のフレームを連結する連結部材５５〜５７と、台座部２′を支持する支持板５８および５９とによって構成されている。
【００３０】
フレーム５１の上端に近い曲折部５１ａは、フレーム５１の上端からその中心方向に所定長だけ曲折されて形成され、曲折部５１ａには、円筒状のローラ５１ａ′が挿入されている。ローラ５１ａ′は、この上を支持板５８が滑らかに動くようにするためのものである。フレーム５１の下端に近い曲折部５１ｂは、フレーム５１の下端からその中心方向に所定長だけ曲折されて形成され、曲折部５１ｂには、キャスタ５１ｃが２つ取り付けられている。フレーム５１の中心近傍には、連結部材５５を挿入するための棒状の挿入部材５１ｄが溶接されている。
【００３１】
フレーム５２の上端に近い曲折部５２ａは、フレーム５２の上端からその中心方向に所定長だけ曲折されて形成され、曲折部５２ａには、支持板５８に固着された、略円筒状の回転軸５８ａが挿入されている。フレーム５２の中心近傍には、連結部材５７を挿入するための棒状の挿入部材５２ｂが溶接され、フレーム５２の下端近傍には、前記連結部材５５を挿入するための棒状の挿入部材５２ｃが溶接されている。
【００３２】
フレーム５３の上端に近い曲折部５３ａは、フレーム５３の上端からその中心方向に所定長だけ曲折されて形成され、曲折部５３ａには、前記ローラ５１ａ′と同様のローラ５３ａ′が挿入されている。フレーム５３の下端に近い曲折部５３ｂは、フレーム５３の下端からその中心方向に所定長だけ曲折されて形成され、曲折部５３ｂには、円柱状のゴム製脚５３ｃが２つ取り付けられている。フレーム５３の中心近傍には、連結部材５６を挿入するための棒状の挿入部材５３ｄが溶接されている。
【００３３】
フレーム５４の上端に近い曲折部５４ａは、フレーム５４の上端からその中心方向に所定長だけ曲折されて形成され、曲折部５４ａには、支持板５９に固着された、略円筒状の回転軸５９ａが挿入されている。フレーム５４の中心近傍には、前記連結部材５７を挿入するための棒状の挿入部材５７ｂが溶接され、フレーム５７の下端近傍には、前記連結部材５５を挿入するための棒状の挿入部材５４ｃが溶接されている。
【００３４】
連結部材５５および５６は、Ｈ字状に形成され、それぞれ、円筒状の連結部５５ａ，５５ｂ，５６ａおよび５６ｂを備えている。連結部材５７は、前述のように、フレーム５５２および５４を連結する機能に加えて、後述するように、ポータブル鍵盤楽器１００を片付けるときに、ポータブル鍵盤楽器１００（台座部２′）を支持する機能も営んでいる。連結部材５７は、板状に形成され、その両端に、円筒状の連結部５７ａおよび５７ｂを備えている。なお、連結部材５７は、挿入部材５２ｂおよび５４ｂを回転軸として、回転する必要はないので、連結部５７ａおよび５７ｂにそれぞれ挿入部材５２ｂおよび５４ｂが挿入されてから、固着するようにしている。固着する方法は、溶接や接着剤等、どのような方法を用いてもよい。
【００３５】
支持板５８の表面には、台座部２′の裏面に形成された突部（図示せず）と嵌合する溝５８ｂが設けられ、支持板５８の裏面には、上述のように、回転軸５８ａが固着されている。同様に、支持板５９の表面には、台座部２′の裏面に形成された突部と嵌合する溝５９ｂが設けられ、支持板５９の裏面には、回転軸５９ａが固着されている。
【００３６】
以上のように構成されたポータブル楽器用スタンド１′に取り付けられたポータブル鍵盤楽器１００を片付けるときの片付け方法、および片付けられたポータブル鍵盤楽器１００を設置するときの設置方法について、図６および図８〜図１０を参照して説明する。
【００３７】
図６の状態で、操作者が、ポータブル鍵盤楽器１００を台座部２′とともに矢印Ｃの方向に引き出すと、図８に示すように、台座部２′は、支持板５９から抜け出る。支持板５の切り起こし部２ａ′が、連結部材５７の略中央に差し掛かった時点で、操作者が、台座部２′を矢印Ｄの方向に持ち上げながら回転させると、図９に示すように、支持板５８が矢印Ｄの方向に回転するとともに、支持板５９が、これとは逆に、矢印Ｄ′の方向に回転する。支持板５８の回転に応じて、フレーム５２が下がり、連結部材５５が矢印Ｄ方向に回転し、キャスタ５１ｃを介して、フレーム５１を矢印Ｅの方向に移動させる。そして、ローラ５１ａ′は、支持板５８の裏面に沿って移動する。同様にして、支持板５９の回転に応じて、フレーム５４が下がり、連結部材５６が矢印Ｄ′方向に回転し、キャスタ５１ｃを介して、フレーム５１を矢印Ｅの方向にさらに移動させる。そして、ローラ５３ａ′は、支持板５９の裏面に沿って移動する。そして、図１０に示すように、台座部２′は連結部材５７に支持され、各フレーム間が所定の間隔まで縮まる。
【００３８】
このようにして縮まった、ポータブル鍵盤楽器１００の取り付けられたポータブル楽器用スタンド１′を移動させたい場合には、操作者は、ポータブル楽器用スタンド１′の重量をフレーム５１のキャスタ５１ｃにかけて、フレーム５３のゴム製脚５３ｃを地面から浮かせた状態で、移動させる。
【００３９】
これとは逆に、ポータブル鍵盤楽器１００を片付けられた場所から演奏場所に持ってきて、設置する場合には、ポータブル楽器用スタンド１′の重量をキャスタ５１ｃにかけて、フレーム５３のゴム製脚５３ｃを地面から浮かせた状態で、演奏場所に移動させる。次に、図１０の状態から、操作者が、台座部２′を矢印Ｄ′の方向に回転させると、図９に示すように、キャスタ５１ｃを介して、フレーム５１が矢印Ｅ′の方向に移動し、図８に示すように、支持板５８および５９は、それぞれ垂直状態から水平状態へと移動する。その後、操作者が台座部２′を矢印Ｃ′の方向に押し込むと、ポータブル鍵盤楽器１００は、図６に示す状態、すなわち演奏可能状態となる。
【００４０】
このように、本実施の形態のポータブル楽器用スタンドでは、ポータブル鍵盤楽器１００を片付けるときには、ポータブル鍵盤楽器１００を引き出して回転させるだけで、直ちに片付け可能な状態になるので、簡単に片付けることができる。一方、ポータブル鍵盤楽器１００を取り出すときも、ポータブル鍵盤楽器１００を回転させた後、押し込むだけでで、直ちに演奏可能状態になるので、簡単に取り出すことができる。また、ポータブル鍵盤楽器１００とポータブル楽器用スタンド１′とは、通常一体になっているので、片付けるときも、取り出すときも、演奏場所と片付け場所とを２度往復しなくてもよい。さらに、ポータブル鍵盤楽器１００を取り出すときに、ポータブル鍵盤楽器１００を回転させる労力が、このポータブル楽器用スタンド１′を取り扱う際に最も大きなものであるが、従来のポータブル楽器用スタンドにポータブル鍵盤楽器を載せる労力に比較すれば、回転させる労力の方が少ないので、力の弱い人でも、ポータブル鍵盤楽器１００を難なく取り扱うことができる。また、ポータブル楽器用スタンド１′には、キャスタが取り付けられているので、その移動も簡単に行うことができる。
【００４１】
なお、上記各実施の形態では、ポータブル楽器用スタンドに設置する楽器は、ポータブル鍵盤楽器としたが、これに限られる訳ではなく、スタンドを必要とし、大きくて重い楽器であれば、どのようなものでもよい。
【００４２】
また、ポータブル楽器用スタンドが片付け可能状態になったときに、その状態をロックして保持するロック機構を設けるようにしてもよい。
【００４３】
さらに、ダンパやバネ部材をポータブル楽器用スタンドの屈曲部分に設け、ポータブル楽器用スタンドを畳む際の部品の挙動を抑えるようにしてもよい。
【図面の簡単な説明】
【００４４】
【図１】本発明の第１の実施の形態に係るポータブル楽器用スタンドと、該スタンド上に取り付けられたポータブル鍵盤楽器の正面図である。
【図２】ポータブル鍵盤楽器を取り付ける台座部の斜視図である。
【図３】図２の台座部を支持する脚部の斜視図である。
【図４】図１のポータブル楽器用スタンドに取り付けられたポータブル鍵盤楽器を片付けるときの片付け方法を説明するための図である。
【図５】図１のポータブル楽器用スタンドに取り付けられたポータブル鍵盤楽器を片付けるときの片付け方法を説明するための図である。
【図６】本発明の第２の実施の形態に係るポータブル楽器用スタンドと、該スタンド上に取り付けられたポータブル鍵盤楽器の正面図である。
【図７】台座部を支持する脚部の斜視図である。
【図８】図６のポータブル楽器用スタンドに取り付けられたポータブル鍵盤楽器を片付けるときの片付け方法を説明するための図である。
【図９】図６のポータブル楽器用スタンドに取り付けられたポータブル鍵盤楽器を片付けるときの片付け方法を説明するための図である。
【図１０】図６のポータブル楽器用スタンドに取り付けられたポータブル鍵盤楽器を片付けるときの片付け方法を説明するための図である。
【符号の説明】
【００４５】
１，１′…ポータブル楽器用スタンド，２，２′…台座部，３，５…脚部，２ｃ…回転軸，３１〜３３，５１〜５４…フレーム，３４〜３７，５５〜５７…連結部材，３１ａ，３３ａ，５８，５９…支持板，１００…ポータブル鍵盤楽器
【図１】
2006267489.tif 000003
【図２】
2006267489.tif 000004
【図３】
2006267489.tif 000005
【図４】
2006267489.tif 000006
【図５】
2006267489.tif 000007
【図６】
2006267489.tif 000008
【図７】
2006267489.tif 000009
【図８】
2006267489.tif 000010
【図９】
2006267489.tif 000011
【図１０】
2006267489.tif 000012